【手続補正書】
【提出日】平成23年1月11日(2011.1.11)
【手続補正１】
【補正対象書類名】特許請求の範囲
【補正対象項目名】全文
【補正方法】変更
【補正の内容】
【特許請求の範囲】
【請求項１】
ステント操縦装置であって、カテーテルと、前記カテーテルを介して動作可能なコネクタアセンブリとを備え、前記コネクタアセンブリは、ステントに連結してそれに対して実質的に半径方向に内側方向の収縮力を加えるように適合されている少なくとも１つのコネクタ要素を有することを特徴とする、ステント操縦装置。
【請求項２】
前記コネクタアセンブリが、拡張可能なフレームワークを備え、かつ前記コネクタ要素が前記フレームワークの複数の細長いアームのうちの１つを備える、請求項１に記載の装置。
【請求項３】
前記アームが、その近位端で枢動可能に保持されており、かつステントに係合するように構成された遠位端を有する、請求項２に記載の装置。
【請求項４】
前記アームが、ステントと接触する際に屈曲するために可撓性である、請求項２または請求項３に記載の装置。
【請求項５】
前記アームが、それらが実質的に平行である収縮された構成へと可動式である、請求項２から請求項４のいずれか１項に記載の装置。
【請求項６】
破片を捕獲するための拡張可能なフィルターを備える、請求項１から請求項５のいずれか１項に記載の装置。
【請求項７】
前記装置の内側に収縮されたステントを保持するように構成された外側シースを備える、請求項１から請求項６のいずれか１項に記載の装置。
【請求項８】
前記アームが、ステントのコネクタ部での係合のための、前記アームの上に形成されたラチェット要素を備える、請求項２に記載の装置。
【請求項９】
前記アームが、各々、前記装置と前記ステントとの間の移動を制限するための端止め部を有する、請求項２に記載の装置。
【請求項１０】
振動力をステントに加えるための発振器を備える、請求項１から請求項９のいずれか１項に記載の装置。
【請求項１１】
前記アームが、ステントの近くから堆積した材料を除去するための鋭利な端部を有する、請求項２に記載の装置。
【請求項１２】
前記アームが、例えばＲＦ周波数でステントに出力を印加するための導電性材料でできている、請求項３に記載の装置。
【請求項１３】
ステント使用可能化装置であって、カテーテルと、アームの拡張可能なフレームワークであって、前記アームは、その近位端で前記装置の中央部に枢動可能に連結されており、かつステントと係合するように構成された遠位端を有するアームの拡張可能なフレームワークと、を備える装置。
【請求項１４】
中央ステムを備え、かつ前記ステムから各アームへと延びるリンクを備える、請求項１３に記載の装置。
【請求項１５】
前記リンクが、前記アームを回転するために、前記ステムに沿って滑動可能である、請求項１４に記載の装置。
【請求項１６】
４つの前記アームを備える、請求項１３から請求項１５のいずれか１項に記載の装置。
【請求項１７】
ステントに接触してそれに出力を印加するように構成されている、請求項１３から請求項１５のいずれか１項に記載の装置。
【請求項１８】
ステントをその拡張された展開された構成へと操縦するように構成されている、請求項１３から請求項１７のいずれか１項に記載の装置。
【請求項１９】
ステントをその収縮された構成へと操縦するように構成されている、請求項１３から請求項１８のいずれか１項に記載の装置。
【請求項２０】
ステントであって、ステント操縦装置に連結するように構成されているコネクタを有するステント本体と、ステント操縦装置を前記コネクタに向かって案内するためのガイドとを備える、ステント。
【請求項２１】
前記ガイドがチャネルを備える、請求項２０に記載のステント。
【請求項２２】
前記チャネルが、前記ステント本体の内表面から内側方向に広がる２つの収束する壁を有する、請求項２１に記載のステント。
【請求項２３】
前記コネクタが前記ステントの内側に位置している、請求項２２に記載のステント。
【請求項２４】
前記ステント本体が金属である、請求項２０から請求項２３のいずれか１項に記載のステント。
【請求項２５】
前記コネクタおよび前記ガイドがシース金属でできている前記ステント本体から折り畳まれている、請求項２０から請求項２４のいずれか１項に記載のステント。
【請求項２６】
前記ステント本体が、患者の管腔もしくは血管の内側で収縮可能でありかつ後で再拡張可能であるように構成されている、請求項２０から請求項２５のいずれか１項に記載のステント。
【請求項２７】
前記ステント本体が、前記ステント本体の拡張または収縮を可能にする弾力性のある支柱を備える、請求項２０から請求項２６のいずれか１項に記載のステント。
【請求項２８】
前記ステント本体が収縮可能でありかつ後で再拡張可能であるように構成されている、請求項２０から請求項２５または請求項２７のいずれか１項に記載のステント。
【請求項２９】
磁気ステント。
【請求項３０】
埋め込み可能な磁気部と、ステント本体を磁気的に保持するために前記磁気部と整列可能な磁気本体部を有する主要ステント本体とを備える、請求項２９に記載のステント。
【請求項３１】
前記磁気部が、少なくとも１つのリングを備える、請求項３０に記載のステント。
【請求項３２】
前記磁気本体部が、前記埋め込み可能な磁気部の前記少なくとも１つのリングの内側に配置可能な少なくとも１つの本体リングを備える、請求項３０または請求項３１に記載のステント。
【請求項３３】
前記主要ステント本体に対する前記埋め込み可能な磁気部の位置を測定するための測定手段を備える、請求項２９から請求項３１のいずれか１項に記載のステント。
【請求項３４】
着脱式ステントであって、複数の細長い側面保護補強材によって形成される本体であって、前記側面保護補強材は連結部材によってリンクされており、前記連結部材は、前記本体がその拡張された構成から収縮された構成へと収縮されることを可能にする本体、を備えるステント。
【請求項３５】
前記連結部材が、ヒンジによって前記側面保護補強材に連結された連結部を備える、請求項３４に記載のステント。
【請求項３６】
各連結部材が、２つの部分を備え、前記２つの部分はヒンジによって一緒に連結されている、請求項３４に記載のステント。
【請求項３７】
各連結部材がバネを備える、請求項３４に記載のステント。
【請求項３８】
前記ステント本体が、患者の管腔もしくは血管の内側で収縮可能でありかつ後で再拡張可能であるように構成されている、請求項３４から請求項３７のいずれか１項に記載のステント。
【請求項３９】
前記ステント本体が、収縮可能でありかつ後で再拡張可能であるように構成されている、請求項３４から請求項３７のいずれか１項に記載のステント。
【請求項４０】
医療用アセンブリであって、請求項２０から請求項３９のいずれか１項に記載のステントと、請求項１から請求項１９のいずれか１項に記載の装置との組合せを備え、前記装置は、前記ステントを、好ましくはそれに実質的に半径方向に内側方向の力を加えることによって収縮させるように構成されていることを特徴とする、医療用アセンブリ。
【請求項４１】
前記装置のアームが、前記装置およびステントを一緒に連結するために、前記ステントのガイド部材によって案内されるように構成されている、請求項４０に記載の医療用アセンブリ。
【請求項４２】
前記装置のアームが、前記ステントをその収縮された構成へと収縮させるために、前記ステントのコネクタの上に実質的に半径方向に内側方向に引っ張るように内側方向に折り畳める、請求項４０に記載の医療用アセンブリ。